(57)【要約】【課題】  耐荷重性能を向上させることができるフリーアクセスフロア構成材及びフリーアクセスフロアの支持構造を提供する。【解決手段】  上面で床面を形成するパネル部１１を備え、パネル部１１は、板状部材１１１ａが格子状に配置されてなる格子部１１１を少なくとも一部に備えるフリーアクセスフロア構成材１において、板状部材１１１ａの下端部同士を連結する連結部１１２を備えることを特徴とする。【選択図】  図１
2011001766.tif 000002
【特許請求の範囲】
【請求項１】
上面で床面を形成するパネル部を備え、パネル部は、板状部材が格子状に配置されてなる格子部を少なくとも一部に備えるフリーアクセスフロア構成材において、
板状部材の下端部同士を連結する連結部を備えることを特徴とするフリーアクセスフロア構成材。
【請求項２】
パネル部を支持する複数の支柱部を備え、
連結部は、複数の支柱部に亘って配置される格子部に対して、支柱部同士を連結するように配置される請求項１に記載のフリーアクセスフロア構成材。
【請求項３】
請求項２に記載のフリーアクセスフロア構成材と、パネル部を支持する支持具とを備えるフリーアクセスフロアの支持構造であって、
連結部は、下面が平面状に形成され、
支持具は、連結部の下面に沿って回動可能に、フリーアクセスフロア構成材に枢着されることを特徴とするフリーアクセスフロアの支持構造。
【発明の詳細な説明】
【技術分野】
【０００１】
本発明は、組み合わされることにより、フリーアクセスフロアを構成するフリーアクセスフロア構成材に関する。また、フリーアクセスフロア構成材を組み合わせて構成されるフリーアクセスフロアの支持構造に関する。
【背景技術】
【０００２】
従来、オフィスや医療・福祉施設等の床に、フリーアクセスフロアが採用されている。斯かるフリーアクセスフロアとは、フリーアクセスフロア構成材を構造床（建築物の床）の上に並設して組み合わせた床であり、電力用配線、通信用配線及び機器等の収容を容易にできる機能を有する床（二重床構造）のことである。
【０００３】
そして、従来、フリーアクセスフロア構成材として、上面で床面を形成するパネル部と、パネル部を支持する複数の支柱部とを備える合成樹脂製のフリーアクセスフロア構成材が知られている。斯かるフリーアクセスフロア構成材は、複数の板状部材が格子状に配置されてなる格子部により、パネル部の少なくとも一部が構成されている（例えば、特許文献１及び２）。
【０００４】
ここで、格子部の板状部材間には、開口部が必然的に形成されている。そして、当該開口部においては、下端側では、開放されている一方、上端側では、開放されていたり、閉塞されていたりしている。なお、開口部が上端側で閉塞されるのは、ピンヒール等が開口部に嵌まり込んだりするのを防止したり、上面にシート材を安定して貼り付けるために、上面に連続した部位を形成して、接着剤を塗布する面積を確保したりするためである。
【先行技術文献】
【特許文献】
【０００５】
【特許文献１】特開２００２−２９４９９１号公報
【特許文献２】特開２００８−２８０７６７号公報
【発明の概要】
【発明が解決しようとする課題】
【０００６】
そして、斯かるフリーアクセスフロア構成材においては、パネル部に上方から荷重が加えられると、上面が凹んで湾曲するように、パネル部が変形する。すると、フリーアクセスフロア構成材は、変形したパネル部における板状部材の下端部同士や、変形したパネル部を支持している支柱部の下端部同士が離反するように（ハ字状となるように）変形する。
【０００７】
これにより、板状部材同士が連結している部位等に、亀裂や割れが生じることがある。そして、フリーアクセスフロア構成材に亀裂や割れが生じると、荷重が加えられた際に、フリーアクセスフロア構成材の変形する量が大きくなるため、床を不安定にさせることになる。
【０００８】
よって、本発明は、斯かる事情に鑑み、耐荷重性能を向上させることができるフリーアクセスフロア構成材及びフリーアクセスフロアの支持構造を提供することを課題とする。
【課題を解決するための手段】
【０００９】
本発明に係るフリーアクセスフロア構成材は、上面で床面を形成するパネル部を備え、パネル部は、板状部材が格子状に配置されてなる格子部を少なくとも一部に備えるフリーアクセスフロア構成材において、板状部材の下端部同士を連結する連結部を備えることを特徴とする。
【００１０】
本発明に係るフリーアクセスフロア構成材によれば、連結部が板状部材の下端部同士を連結するため、パネル部に上方から荷重が加えられた際に、板状部材の下端部同士が離反するのを抑制でき、その結果、亀裂や割れが生じるのを抑制できる。
【００１１】
また、本発明に係るフリーアクセスフロア構成材においては、パネル部を支持する複数の支柱部を備え、連結部は、複数の支柱部に亘って配置される格子部に対して、支柱部同士を連結するように配置されてもよい。
【００１２】
斯かる構成のフリーアクセスフロア構成材によれば、複数の支柱部に亘って配置される格子部に対して、連結部が支柱部同士を連結するように配置されるため、パネル部に上方から荷重が加えられた際に、板状部材の下端部同士が離反するのを抑制できると共に、支柱部同士が離反するのも抑制できる。したがって、耐荷重性能をさらに向上させることができる。
【００１３】
また、本発明に係るフリーアクセスフロアの支持構造は、上記のフリーアクセスフロア構成材と、パネル部を支持する支持具とを備えるフリーアクセスフロアの支持構造であって、連結部は、下面が平面状に形成され、支持具は、連結部の下面に沿って回動可能に、フリーアクセスフロア構成材に枢着されることを特徴とする。
【００１４】
斯かる構成のフリーアクセスフロアの支持構造によれば、パネル部を支持する支持具がフリーアクセスフロア構成材に枢着されるため、支持具が平面状に形成される連結部の下面に沿って回動できる。したがって、支持具がフリーアクセスフロア構成材の支持する部位を自由に調整できるため、加えられる荷重に応じて、フレキシブルに対応することができる。
【発明の効果】
【００１５】
以上の如く、本発明に係るフリーアクセスフロア構成材及びフリーアクセスの支持構造によれば、パネル部に上方から荷重が加わえられた際に、板状部材の下端部同士が離反するのを抑制できるため、亀裂や割れが生じるのを抑制でき、その結果、耐荷重性能を向上させることができるという優れた効果を奏する。
【図面の簡単な説明】
【００１６】
【図１】本発明の一実施形態に係るフリーアクセスフロアの支持構造の全体図であって、（ａ）は下方斜視図、（ｂ）は底面図を示す。
【図２】同実施形態に係るフリーアクセスフロア構成材の全体図であって、（ａ）は上方斜視図、（ｂ）は下方斜視図を示す。
【図３】同実施形態に係るフリーアクセスフロア構成材の全体図であって、（ａ）は平面図、（ｂ）は底面図を示す。
【図４】同実施形態に係るフリーアクセスフロア構成材の全体図であって、（ａ）は正面図、（ｂ）は背面図を示す。
【図５】同実施形態に係るフリーアクセスフロア構成材の全体図であって、（ａ）は右側面図、（ｂ）は左側面図を示す。
【図６】同実施形態に係るフリーアクセスフロア構成材の全体図であって、図３のＡ−Ａ線における拡大断面図を示す。
【図７】同実施形態に係るフリーアクセスフロア構成材の全体図であって、（ａ）は図３のＢ−Ｂ線における拡大断面図、（ｂ）はＣ−Ｃ線における拡大断面図を示す。
【図８】同実施形態に係る支持具の全体図であって、（ａ）は上方斜視図、（ｂ）は下方斜視図を示す。
【図９】同実施形態に係る支持具の全体図であって、（ａ）は平面図、（ｂ）は底面図、（ｃ）は正面図、（ｄ）はＤ−Ｄ線における断面図を示す。
【図１０】同実施形態に係るフリーアクセスフロアの支持構造を説明する図であって、（ａ）はフリーアクセスフロア構成材が切断された状態の全体底面図、（ｂ）は図３のＡ−Ａ線における要部拡大断面図を示す。
【発明を実施するための形態】
【００１７】
以下、本発明に係るフリーアクセスフロア構成材及びフリーアクセスフロアの支持構造の一実施形態について、図１〜図１０を参酌して説明する。
【００１８】
本実施形態に係るフリーアクセスフロアの支持構造は、図１〜図１０に示すように、フリーアクセスフロアを構成するフリーアクセスフロア構成材（「単位床」とも呼ばれ、以下、単に「構成材」という）１と、構成材１を下方側から支持する複数（図１においては四つ）の支持具（「補助脚」とも呼ばれる）２，…とを備える。なお、図１においては、構成材１を一つのみ図示しているが、実際には、複数の構成材１，…が構造床Ｘの上に並設されて組み合わされることで、フリーアクセスフロアが構成されている。
【００１９】
構成材１は、上面でフリーアクセスフロアの床面を形成するパネル部１１と、パネル部（パネル要素）１１を支持する複数（本実施形態においては九つ）の支柱部（支柱要素）１２，…とを備える。そして、構成材１は、パネル部１１と各支柱部１２とが一体的に形成されるため、本実施形態のフリーアクセスフロアの構法は、パネル構法の支柱一体型のうち、支柱固定タイプと呼ばれる構法である。
【００２０】
また、構成材１は、パネル部１１と支柱部１２，…を連結するリブ１３，…を複数備える。なお、構成材１は、ポリプロピレン（ＰＰ）、ポリ塩化ビニル（ＰＶＣ）、ポリエチレンテレフタレート（ＰＥＴ）、ポリカーボネート（ＰＣ）等の合成樹脂で形成されている。
【００２１】
パネル部１１は、複数の板状部材１１１ａ，…が格子状に配置されてなる格子部１１１を備える。また、パネル部１１は、板状部材１１１ａ，…の下端部同士を連結する複数の連結部１１２，…を備える。
【００２２】
また、パネル部１１は、矩形状に形成され、隣接された構成材１と位置ずれするのを防止すべく、隣接された構成材１と係合し合う凸状の係合部１１３，…及び凹状の係合部１１４，…を各側方（四辺の各辺）にそれぞれ一つずつ備える。さらに、パネル部１１は、下方に配設された電線等を上方側に取り出すための凹状部１１５を二つの側方（四辺のうち二辺）に二つずつ備える。
【００２３】
格子部１１１は、板状部材１１１ａ，…同士間に、上下方向に亘って開口部１１１ｂ，…が形成されることになるが、一部の開口部１１１ｂ，…の上端側が閉塞されることにより、パネル部１１の上面に、連続してつながる連続面１１１ｃが形成されている。また、格子部１１１は、複数の支柱部１２，…に亘って配置される。具体的には、格子部１１１は、パネル部１１の略全域に亘って配置されている。
【００２４】
各板状部材１１１ａは、上下方向に立設し且つ横方向（上下方向と直交する方向）に沿って延設されている。具体的には、各板状部材１１１ａは、平板状に形成されている。そして、複数の板状部材１１１ａ，…は、直交して又は傾斜してそれぞれ交差している。
【００２５】
各開口部１１１ｂは、平板状に形成される板状部材１１１ａ，…同士が交差して設けられるため、多角形状に構成されている。また、開口部１１１ｂ，…には、下端側が連結部１１２で閉塞されているものや、上下方向に亘って貫通しているもの（貫通孔）がある。
【００２６】
連続面１１１ｃは、矩形状に形成されるパネル部１１の外周部に沿って配置されると共に、各幅方向の中心に沿って一端部から他端部に亘って配置される。具体的には、連続面１１１ｃは、略「田」字状に配置されている。なお、連続面１１１ｃは、ピンヒール等がパネル部１１の開口部１１１ｂに嵌まり込むのを防止したり、パネル部１１の上面にシート材を安定して貼り付けるべく、接着剤の塗布する面積を確保したりするための目的で設けられる一方、耐荷重性能を向上させる機能も有している。
【００２７】
各連結部１１２は、矩形状に形成され、四つの支柱部１２，…間に配置される。具体的には、各連結部１１２は、四つの支柱部１２，…同士を連結するように配置されている。そして、各連結部１１２は、下面が平面状に形成されている。具体的には、各連結部１１２は、平板状に形成され、横方向に沿って配置されると共に、上面で各板状部材１１１ａの下端部と連結している。
【００２８】
また、連結部１１２は、支持具２を回動可能に取り付けるための取付孔１１２ａ，…を複数備える。さらに、連結部１１２は、支持具２が所定角度以上回動するのを防止すべく、支持具２を係止する係止部１１２ｂ，…を複数備える。
【００２９】
各取付孔１１２ａは、支持具２に挿入されるための孔である。そして、各取付孔１１２ａは、矩形状に形成される各連結部１１２の四つの隅部、即ち、支柱部１２，…の近傍にそれぞれ配置される。これにより、支持具２をフレキシブルに配置できる一方、連結部１１２の中央部に配置する場合と比べて、取付孔１１２ａを設けることによる耐荷重性能の低下を抑えることができる。ところで、各取付孔１１２ａが設けられている位置の開口部１１１ｂは、取付孔１１２ａを介して、上下方向に亘って貫通しているもの（貫通孔）となる。
【００３０】
各係止部１１２ｂは、下方に向けて突出する突起である。そして、各係止部１１２ｂは、支柱部１２と取付孔１１２ａとの間に配置されている。なお、各係止部１１２ｂは、構成材１を構成床Ｘの上に設置した際に、リブ１３が支持具２にのり上げることで構成材１が傾くのを防止すべく、支持具２がリブ１３の下方に至るまで回動するのを防止している。
【００３１】
各支柱部１２は、パネル部１１から下方側に向けて突出して形成されると共に、下方側が開放された角筒状に形成されている。これにより、各支柱部１２が設けられる位置の開口部１１１ｂは、上下方向に亘って貫通しているもの（貫通孔）となる。また、複数の支柱部１２，…は、矩形配列で配置されている。具体的には、複数の支柱部１２，…は、矩形状のパネル部１１に対して、各辺（四つの辺）の両端部及び中央部にそれぞれ配置されていると共に、対角線同士が交差する部位に一つ配置されている。
【００３２】
なお、構成材１は、上下方向に接離する一対の金型片からなる金型を用いて射出成形（及び／又は金型成形）で製造されるため、上端側に連続面１１１ｃが形成されている場合には、当該開口部１１１ｂの下端側には、連結部１１２が形成されていない一方、下端側に連結部１１２が形成されている場合には、当該開口部１１ｂの上端側には、連続面１１１ｃが形成されていないことになる。また、格子部１１１及び連結部１１２は、一体となって形成されることになる。
【００３３】
各支持具２は、パネル部１１を下方側から支持する支持具本体２１と、連結部１１２の下面に沿って（図１（ｂ）における両矢印方向で）回動可能に、構成材１に枢着される枢着部２２とを備える。また、各支持具２は、支持具本体２１と枢着部２２とを接続し、付勢されることにより弾性変形する弾性部２３を備える。
【００３４】
支持具本体２１は、円筒状に形成され、上方が閉塞され且つ下方が開放されている。そして、支持具本体２１は、平面状に形成される上面がパネル部１１（連結部１１２）と当接することで、構成材１を支持する。また、支持具本体２１は、内周部に、径方向内方に突出し且つ上下方向に延びる突出部２１１，…を備える。さらに、支持具本体２１は、上面部の表側（外側）に、凹部２１２を備え、それに伴い凸部２１３が上面部の裏側（内側）に形成されている。
【００３５】
枢着部２２は、弾性部２３を介して、支持具本体２１に固定される基部２２１を備える。また、枢着部２２は、基部２２１から上方に向けて突出し、連結部１１２の取付孔１１２ａに挿入される挿入部２２２を備える。
【００３６】
基部２２１は、取付孔１１２ａを係止することで、挿入部２２２が取付孔１１２ａに所定以上挿入するのを防止すべく、取付孔１１２ａより大きく形成される。また、基部２２１は、支持具２が付勢されていない状態、即ち、弾性部２３が弾性変形していない状態では、支持具本体２１の上面よりも下方側に位置している。
【００３７】
挿入部２２２は、取付孔１１２ａに挿入するのを容易にすべく、先端側がテーパ状に形成されると共に、弾性変形するように円筒状に形成される。そして、挿入部２２２は、取付孔１１２ａに挿入されたのちに取付孔１１２ａから抜け出るのを防止すべく、基端側が段差状に形成される。
【００３８】
弾性部２３は、下方側に湾曲した板状に形成される。そして、弾性部２３は、一端部が支持具本体２１の上方側に連結され、他端部が枢着部２２の基部２２１に連結される。こにより、弾性部２３は、付勢されることにより弾性変形することで、支持具本体２１と枢着部２２とを上下方向で相対的に変位させることができる。
【００３９】
以上より、本実施形態に係るフリーアクセスフロア構成材１は、各連結部１１２が板状部材１１１ａ，…の下端部同士を連結するため、パネル部１１に上方から荷重が加えられた際に、板状部材１１１ａ，…の下端部同士が離反するのを抑制できる。したがって、亀裂や割れが生じるのを抑制できるため、耐荷重性能を向上させることができる。
【００４０】
また、連結部１１２が設けられることで耐荷重性能が向上するため、例えば、連結部１１２が設けられていない場合と同じ耐荷重性能を維持するのであれば、板状部材１１１ａの厚みを薄くしたり、板状部材１１１ａの数量を少なくしたりすることもできる。したがって、効率的に設計を行うことにより、フリーアクセスフロア構成材１を製造するための原料使用量を少なくすることも可能である。
【００４１】
また、本実施形態に係るフリーアクセスフロア構成材１は、複数の支柱部１２，…に亘って配置される格子部１１１に対して、連結部１１２が支柱部１２，…同士を連結するように配置されるため、パネル部１１に上方から荷重が加えられた際に、板状部材１１１ａ，…の下端部同士が離反するのを抑制できると共に、支柱部１２，…同士が離反するのも抑制できる。したがって、耐荷重性能をさらに向上させることができる。
【００４２】
また、本実施形態に係るフリーアクセスフロアの支持構造は、パネル部１１を支持する支持具２がフリーアクセスフロア構成材１に枢着されるため、平面状に形成される連結部１１２の下面に沿って支持具２を回動することができる。したがって、支持具２がパネル部１１（連結部１１２）の支持する部位を自由に調整できるため、加えられる荷重に応じて、フレキシブルに対応することができる。
【００４３】
ここで、並設される構成材１のうち、床の端側に配置される構成材１は、当該床のスペースの関係上、切断される場合がある。そして、構成材１が切断されると、支柱部１２，１２による支持だけでは十分でない場合が殆どである。そこで、図１０（ａ）に示すように、支持具２，…を回動させることで、耐荷重性能が一番優れる位置に支持具２，…を配置することもできる。
【００４４】
また、本実施形態に係るフリーアクセスフロアの支持構造は、取付孔１１２ａを係止する基部２２１が支持具本体２１の上面よりも下方側に位置している。これにより、図１０（ｂ）に示すように、基部２２１が取付孔１１２ａを係止していない状態、即ち、基部２２１が取付孔１１２ａと離間している状態で、支持具本体２１の上面が平面状に形成される連結部１１２の下面と当接する。
【００４５】
したがって、支持具本体２１の上面が連結部１１２の下面と密接しているため、荷重が加えられた際に、音鳴り（構成材１と支持具２とが衝突して発生する音）が発生しない。但し、例えば、作業ミス等により、挿入部２２２が取付孔１１２ａに十分に挿入されていない場合には、取付孔１１２ａを係止する基部２２１が支持具本体２１の上面よりも下方に位置しているだけでは、支持具本体２１の上面が連結部１１２の下面と密接しない場合も考えられる。
【００４６】
しかしながら、本実施形態に係る支持具２によれば、支持具本体２１の下端部が支柱部１２の下端部よりも下方側に位置しているため、構成材１及び支持具２が構造床Ｘの上に設置されると、支持具本体２１の下端部が構造床Ｘに当接する。これにより、構成材１の自重により、弾性部２３が付勢されて弾性変形するため、支持具本体２１が枢着部２２に対して上下方向において接近するように、即ち、支持具本体２１が連結部１１２に対して接近するように変位することになる。
【００４７】
したがって、支持具本体２１の上面が平面状に形成される連結部１１２の下面と密着することができるため、音鳴りが発生しない。以上のように、挿入部２２２が取付孔１１２ａに十分に挿入されている場合は当然として、作業ミス等により、挿入部２２２が取付孔１１２ａに十分に挿入されていない場合においても、支持具本体２１の上面が平面状に形成される連結部１１２の下面と密接することができ、その結果、荷重が加えられた際に、音鳴りが発生するのを防止できる。
【００４８】
なお、本発明に係るフリーアクセスフロア構成材及びフリーアクセスフロアの支持構造は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４９】
例えば、本発明に係るフリーアクセスフロア構成材は、切断するのを容易にすべく、パネル部の上面に、溝状の切断容易手段を設けてもよい。但し、耐荷重性能が低下しないように、切断容易手段を設けることが好ましい。
【００５０】
また、上記実施形態に係るフリーアクセスフロア構成材１においては、格子部１１１がパネル部１１の略全域に亘って配置される場合を説明したが、斯かる場合に限られない。要するに、パネル部の少なくとも一部に、格子部が設けられていればよい。
【００５１】
また、上記実施形態に係るフリーアクセスフロア構成材１においては、パネル部１１が矩形状に形成される場合を説明したが、斯かる場合に限られず、例えば、円形状や多角形状に形成される場合でもよい。要するに、パネル部は、床面として機能する構成であればよい。
【００５２】
また、上記実施形態に係るフリーアクセスフロア構成材１においては、各板状部材１１１ａが平板状に形成され、各板状部材１１１ａ，…間に設けられる開口部１１１ｂ，…が多角形状である場合を説明したが、斯かる場合に限られず、例えば、各板状部材が湾曲した板状に形成されたり、各板状部材間に設けられる開口部が円形状に形成されたりする場合でもよい。
【００５３】
また、上記実施形態に係るフリーアクセスフロア構成材１においては、開口部１１１ｂには、上端側の連続面１１１ｃ又は下端側の連結部１１２の何れか一方しか設けられない場合を説明したが、斯かる場合に限られず、開口部に、連続面及び連結部の双方が設けられる場合でもよい。例えば、連結部１１２は、格子部１１１（板状部材１１１ａ，…）と一体となって形成される場合に限られず、固定手段等を介して、板状部材の下端部同士を連結する場合でもよい。
【００５４】
したがって、本発明に係るフリーアクセスフロア構成材１は、少なくとも格子部１１１が合成樹脂で形成されているものを対象としているが、連結部１１２については、合成樹脂に限られず、金属といった剛性を有する素材で構成されてもよい。
【００５５】
また、上記実施形態に係るフリーアクセスフロア構成材１においては、各連結部１１２が支柱部１２，…同士を連結するように配置される場合を説明したが、斯かる場合に限られない。
【００５６】
例えば、連結部は、一つの開口部１１１ｂのみを閉塞するように、板状部材１１１ａ，…の下端部を連結する場合でもよく、また、二つ、三つ又は五つ以上の支柱部１２，…を連結するように、板状部材１１１ａ，…の下端部を連結する場合でもよく、さらに、全ての開口部１１１ｂ，…を閉塞するように、板状部材１１１ａ，…の下端部を連結する場合でもよい。
【００５７】
また、上記実施形態に係るフリーアクセスフロア構成材１においては、支柱部１２が角筒状に形成され、九つ設けられる場合を説明したが、斯かる場合に限られない。例えば、支柱部は、円筒状に形成されたり、内部に合成樹脂が充填されて形成されたりする場合でもよく、また、二つ〜八つ又は十以上設けられる場合でもよい。要するに、支柱部は、柱として機能する構成であればよい。
【００５８】
また、上記実施形態に係るフリーアクセスフロア構成材１は、パネル部１１と支柱部１２，…とが一体的に合成樹脂で形成される場合、即ち、支柱一体型の支柱固定タイプである場合を説明したが、斯かる場合に限られない。
【００５９】
例えば、パネル部を持ち上げたときに支柱部がパネル部に付いている構法である支柱一体型のうち、支柱部がパネル部に後付けされる支柱組立タイプである場合でもよく、また、パネル部を持ち上げたときに支柱部が構造床（建築物の床）Ｘ側に残る構法である支柱分離型である場合でもよい。要するに、本発明に係るフリーアクセスフロア構成材は、床面として機能するパネル部を少なくとも備えていればよい。
【００６０】
また、上記実施形態に係るフリーアクセスフロアの支持構造においては、支持具２の挿入部２２２がフリーアクセスフロア構成材１の取付孔１１２ａに挿入することで、支持具２がフリーアクセスフロア構成材１に枢着される場合を説明したが、斯かる場合に限られない。例えば、支持具に配設される取付孔に、フリーアクセスフロア構成材に配設される凸状の挿入部を挿入することで、支持具がフリーアクセスフロア構成材に枢着される場合でもよい。
【００６１】
また、上記実施形態に係るフリーアクセスフロアの支持構造においては、支持具本体２１が円筒状に形成される場合を説明したが、斯かる場合に限られない。例えば、支持具本体は、角筒状に形成される場合でもよく、また、内部に合成樹脂が充填されて形成される場合でもよい。要するに、支持具本体は、フリーアクセスフロア構成材（パネル部）を支持する機能を有する構成であればよい。
【符号の説明】
【００６２】
１…フリーアクセスフロア構成材、２…支持具、１１…パネル部、１２…支柱部、１３…リブ、２１…支持具本体、２２…枢着部、２３…弾性部、１１１…格子部、１１１ａ…板状部材、１１１ｂ…開口部、１１１ｃ…連続面、１１２…連結部、１１２ａ…取付孔、１１２ｂ…係止部、１１３，１１４…係合部、１１５…凹状部、２１１…突出部、２１２…凹部、２１３…凸部、２２１…基部、２２２…挿入部、Ｘ…構造床
【図１】
2011001766.tif 000003
【図２】
2011001766.tif 000004
【図３】
2011001766.tif 000005
【図４】
2011001766.tif 000006
【図５】
2011001766.tif 000007
【図６】
2011001766.tif 000008
【図７】
2011001766.tif 000009
【図８】
2011001766.tif 000010
【図９】
2011001766.tif 000011
【図１０】
2011001766.tif 000012